(57)【要約】      （修正有）【課題】地震等の災害時に非常用品を収納したバッグを背負ったり、カート状態にしたりして簡便に持ち出し、持ち運びすることができるバッグを提供する。【解決手段】バッグ１は、バッグ本体２を背負うための背負い帯３と、該バッグ本体２をカートとして運ぶためのキャスター及び引き手部材５を備えている。上記バッグ本体２には、バッグ本体２を背負う際にキャスターを覆うためのカバー片１３が設けられており、また、バッグ本体２の背負い面２０の表面には支持片２１で支持されるクッション体が設けられている。【選択図】図１
0003179482.tif 000002
【実用新案登録請求の範囲】
【請求項１】
バッグ本体を背負うための背負い帯と、該バッグ本体をカート状態にして運ぶためのキャスター及び引き手部材を備えたバッグであって、上記バッグ本体に、キャスターを着脱可能に覆うカバー片と、バッグ本体の背負い面または背負い帯の表面に当接した状態で支持するクッション体を設けたことを特徴とするバッグ。
【請求項２】
バッグ本体を背負う際にバッグ本体の背負い面に当接した状態で、または上記バッグ本体をカートとして運ぶ際に背負い帯に当接した状態で、クッション体を着脱可能に支持する支持片を設けた請求項１に記載のバッグ。
【請求項３】
クッション体は、広げると敷物に、折り畳むと袋状体になるように形成した請求項１または２に記載のバッグ。
【請求項４】
クッション体にカバー片を接続した請求項１ないし３のいずれかに記載のバッグ。
【請求項５】
発信装置と、この発信装置から発信する信号を受信した際に発声や発光等によって報知をする受信装置を備え、この受信装置をバッグに設けた請求項１ないし４のいずれかに記載のバッグ。
【考案の詳細な説明】
【技術分野】
【０００１】
本考案は、リュックサックのように背負うことができ、かつキャリーバッグのようにカートとしても用いることができるバッグに関し、特に地震等の災害時に好適に使用することができるバッグに関する。
【背景技術】
【０００２】
地震等の災害時に対応するために、一般の家庭では、例えば飲料水、食料品、懐中電灯、ラジオ、手袋、暖房用品、タオル、衛生用品、下着、シート、ペーパー類、袋物、貴重品等の非常用品を収納した非常用持ち出し袋やバッグ等が用意されている。
【０００３】
これらの持ち出し品は、多人数の家族では、その人数分を用意しておく必要があるために多量の非常用品となり、これらの用品を一つのバッグに収納した場合にかなりの重さとなっている。従って、このような重いバッグを背負った場合、短時間で肩や背中が痛くなり、長時間背負っていることができない。特に最近のように高齢者が増加している状況では、持ち出しや持ち運びが大変であって、これに対応した便利なバッグの提供が強く望まれている。
【０００４】
また、災害時に、この種のバッグが非難場所に一堂に置かれることがあり、これによって自分のバッグが紛れてしまうことがある。このような場合にその中から自分のバッグを速やかに選び出す必要が生じる。
【考案の概要】
【考案が解決しようとする課題】
【０００５】
本考案は、これらの問題点を解消するものであって、特に地震等の災害時に、これらの非常用品を収納したバッグを簡便に持ち出し、持ち運びすることができ、また避難場所等に置かれた多数のバッグの中から自分のバッグを容易に選び出すことができるバッグを提供しようとするものである。
【課題を解決するための手段】
【０００６】
本考案は、バッグ本体を背負うための背負い帯と、該バッグ本体をカート状態で運ぶためのキャスター及び引き手部材を備えたバッグであって、上記バッグ本体に、キャスターを着脱可能に覆うカバー片と、バッグ本体の背負い面または背負い帯の表面に当接した状態で支持するクッション体を設けるようにしたものである。
また、バッグ本体を背負う際にバッグ本体の背負い面にクッション体を当接した状態で、または上記バッグ本体をカート状態で運ぶ際に背負い帯にクッション体を当接した状態で、着脱可能に支持することができる支持片を設けるようにしたものである。
【０００７】
また、クッション体は、広げると敷物になり、折り畳むと袋状体になるように形成されており、またカバー片がクッション体に接続されているものである。
【０００８】
更に、本考案は、発信装置と、この発信装置から発信する信号を受信した際に発声や発光等によって報知する受信装置を備え、この受信装置がバッグに設けられているものである。
【考案の効果】
【０００９】
本考案は、バッグ本体に背負い帯を備えるとともに、キャスター及び引き手部材を備えているバッグであるので、バッグを背負ったり、カート状態にしたりして楽に運ぶことができる。また、バッグを背負う際にキャスター部分をカバー片で覆うことができるので移動中にキャスターによって汚れたり、怪我をしたりすることがなく安全に使用することができる。しかも、バッグを背負う際にはバッグ本体の背負い面にクッション体が支持されるので、バッグ内の収納品が背中に強く当たることがなく、背中が痛かったり、背中に傷を付けたりすることがない。更に、バッグをカート状態にして運ぶ際には、背負い帯表面いクッション体を当て、このクッション体で背負い帯が覆われる状態になるので、背負い帯が邪魔にならず、移動中に背負い帯が引っ掛かったりすることがない。
更に、クッション体は折り畳んで袋状に形成されているので、避難場所でクッション体を広げて敷物として使用することができる。しかも、クッション体とカバー片を連結しているので使い勝手がよく、経済的でもある。
また、発信装置と、この発信装置から発信する信号を受信した際に発声または発光等によって報知する受信装置を備えているので、この受信装置をバッグに設けておくと、避難場所等においてこの発信装置と受信装置により自分のバッグを容易かつ迅速に選び出すことができる。
【図面の簡単な説明】
【００１０】
【図１】本考案の実施例を示すバッグの斜面図である。
【図２】バッグ本体とクッション体を分離して示す斜面図である。
【図３】クッション体の拡大平面図である。
【図４】クッション体を展開した状態を示す平面図である。
【図５】クッション体を背負い帯の表面に当て、これを支持片で支持した状態を示す斜面図である。
【図６】図５において、キャスター部を覆っているカバー片の一端を剥がし、このカバー片を折り返してクッション体の表面に支持した状態を示す斜面図である。
【図７】引き手部材を握りカート状態にしてバッグを運ぶ場合を示す斜面図である。
【図８】発信装置と、受信装置の概略を示す説明図である。
【考案を実施するための形態】
【００１１】
以下、実施例として、災害用として用いられるバッグについて説明する。
バッグ１は、背負うことができるようにバッグ本体２に取付けた背負い帯３を備え、またバッグ本体２をカート状態にして運ぶことができるようにバッグ本体２の底部に取付けたキャスター４とバッグ本体２に装着した引き手部材５を備えている。
【００１２】
実施例では、キャスター４がバッグ本体２の底板６に固定したフレーム７に取り付けられ、また、引き手部材５がバッグ本体２の側面収容部４２内に挿入されその端部が底板６に固定されている。この引き手部材５は、引き伸ばし可能に三重の枠８構造に形成されており、その把手部９を握って引き手部材５を引き伸ばすと、その位置でストッパーによって保持される。この状態で引き手部材５を引けば、キャスター４が回動してバッグを楽に運ぶことができる。
【００１３】
この例では、上記背負い帯３は、肩掛け帯部１０と長さ調整帯部１１を有し、その両帯部がアジャスター付きのバックル１２で連結されている。
【００１４】
バッグ１には、バッグ本体２を背負う際にキャスター４部分を覆うためのカバー片１３と、バッグ本体２の背負い面部分に当接させて緩衝作用を得るためのクッション体１４が設けられている。なお、この場合、上記カバー片１３とクッション体１４は逢着、接着等によって連結されているが、これら部材は別体に設けるようにしてもよい。
【００１５】
クッション体１４は、図４及び図５に示すように、広げると敷物１５として使用することができ、これを折り畳んでファスナー１６で閉じると、ほぼバッグ本体２の背負い面の大きさの袋状体１７となり、クッション性を具備する。
この実施例では、クッション体１４は、袋状に形成した表面布内に綿や麻、毛糸、残布等の芯材を挿入したキルティング構造を有しているが、クッション性を有するものであれば、布等を幾重にも積層した構造のものや、ウレタンフォーム、スポンジ等の緩衝材を用い、これをプラスチックシート等で袋状に覆った構造のものでもよい。
【００１６】
次に、バッグ本体２にクッション体１４を装着する場合について説明する。
図１及び図２に示すように、クッション体１４に取付けたアジャスター付きのバックル１８を備えた掛けベルト１９を引き手部材５に掛け、このクッション体１４をバッグ本体２の背負い面２０に当てる。この状態で、バッグ本体２の側面に取付けた一対の支持片２１を用い、この支持片２１に設けた一対の面ファスナー２２どうしを係合させてクッション体１４を支持する。
次いで、カバー片１３とクッション体１４に設けた一対の面ファスナー２３どうしを係合させてカバー片１３をクッション体１４に支持する。この場合、バッグ本体２にクッション体１４を装着する際に、カバー片１３をクッション体１４側に折り返し、カバー片１３をクッション体１４の外側または内側にした状態で、カバー片１３とクッション体１４を一緒にして支持片２１で支持するようにしてもよい。このようにすると、カバー片１３をクッション体１４に支持するための一対の面ファスナー２３を省略することができる。
なお、この例では、上記カバー片１３及び支持片２１の支持方法として面ファスナーを用いているが、この面ファスナーに代えてスナップボタンやフック等その他の止具を用いるようにしてもよい。
【００１７】
バッグ１を背負う際は、図１に示すように、カバー片１３の端部をクッション体１４から剥がし、これを底板６側に折り返してキャスター４を覆い、カバー片１３と底板６に設けた一対の面ファスナー２４どうしを係合させて、そのカバー片１３を底板６に支持する（図６に示す底部の状態から図５に示す底部の状態へ）。このようにして上記キャスター４がカバー片１３によって覆われるので、バッグ１を背負っているときに、キャスター４に付着した土等によって汚れたり、キャスター４によって怪我をしたりすることがない。
【００１８】
次に、図５〜図７を用いて、バッグ１をカートとして運ぶ場合について説明する。
図５に示すように、クッション体１４に取付けたバックル１８付きの掛けベルト１９を引き手部材５に掛け、このクッション体１４を背負い帯３が内側になるようにその背負い帯３の表面に当てる。この状態で、バッグ本体２の側面に取付けた一対の支持片２１を用い、この支持片２１に設けた一対の面ファスナー２２どうしを係合させてクッション体１４を支持する。
次いで、図５及び図６に示すように、カバー片１３の端部を底板６から剥がし、このカバー片１３をクッション体１４側に折り返してカバー片１３とクッション体１４に設けた一対の面ファスナー２３どうしを係合させてカバー片１３をクッション体１４に支持する。
なお、クッション体１４を背負い帯３の表面に当てる際に、カバー片１３を底板６から剥がしてクッション体１４側に折り返し、そのカバー片１３をクッション体１４の外側または内側にした状態で、カバー片１３とクッション体１４を一緒にして支持片２１で支持するようにしてもよい。この場合は、カバー片１３をクッション体１４に支持するための一対の面ファスナー２３を省略することができる。
【００１９】
クッション体１４は、上記のように掛けベルト１９を介して引き手部材５に掛けておくことができるので、別途、支持片２１を設けなくてもよい場合がある。
【００２０】
バッグ本体２は、実施例では、食料品や飲料水等の重量物や嵩張る物等を収容する主収納部２５と、使用頻度が高く、すぐに取り出して使用することが可能な懐中電灯、手袋、タオル、ペーパー類等の小物等を収容する補助収納部２６を備えているが、これらの収納部は適宜の形状のものとすることができる。
上記主収納部２５の上部には、蓋部２７が設けられ、この蓋部２７に開閉可能なファスナー２８が設けられている。また、補助収納部２６にも開閉可能なファスナー２９が設けられている。
【００２１】
バッグ本体２には、手提げ紐３０が取付けられており、これを用いてバッグを移動することができる。
【００２２】
バッグ１には、図８に示すように、手元に常備する発信装置３１と、この発信装置３１より発信した信号を受信しこの信号に基づいて発声する受信装置３２が設けられており、この受信装置３２がバッグ１に装着されている。
発信装置３１は、アンテナを備えた所定周波数の電波を発信する発信器３３、発信を制御するＣＰＵ（中央演算装置）３４、電源３５、発信するためのスイッチ３６等を備えている。また、受信装置３２は、発信器３３より発信された電波を受信するアンテナを備えた受信器３７、受信を制御するＣＰＵ（中央演算装置）３８、受信した際に音声を発するスピーカーを備えた音声発生器３９、電源４０、受信状態の有無を設定するスイッチ４１等を備えている。
なお、上記音声発生器３９は、受信したことを発光やブザー等によって報知する報知器のような構造のものとすることができる。このように上記発信装置３１をバッグ１に装着しておくと、手元の受信装置３２から発信した信号を発信装置３１が受信し音声を発することによって、非難場所等で紛れたバッグ１の所在を直ちに知ることができる。
【符号の説明】
【００２３】
２  バッグ本体    ３  背負い帯    ４  キャスター    ５  引き手部材    １３  カバー片    １４  クッション体    ２０  背負い面    ２１  支持片    ３１  発信装置    ３２  受信装置
【図１】
0003179482.tif 000003
【図２】
0003179482.tif 000004
【図３】
0003179482.tif 000005
【図４】
0003179482.tif 000006
【図５】
0003179482.tif 000007
【図６】
0003179482.tif 000008
【図７】
0003179482.tif 000009
【図８】
0003179482.tif 000010